(57)【要約】【課題】浴室に隣接する室の設備機器の排水を簡単な準備作業で浴室へ排水できるようにし、且つ浴室内でその排水パイプ等が見えることのないようにする。【解決手段】浴室１と隣接室３との間の仕切壁２に排水パイプの挿入孔９を開設し、隣接室３内の設備機器から浴室１内の排水路（排水溝）７まで前記排水パイプの挿入孔９を挿通して排水パイプを連通させている。そして、前記浴室１内の排水路７及び排水パイプを浴室１内において見えない位置に設けている。このように、浴室１内の排水路７及び排水パイプが浴室内において見えないので、見栄えがよく、快適な使用が可能である。しかも、隣接室３の設備機器からの排水は、排水パイプを仕切壁に設けた挿入孔９へ挿通するだけであり、その作業は極めて簡単である。【選択図】  図１
2004332421.tif 000002
【特許請求の範囲】
【請求項１】
浴室と隣接室との間の仕切壁に排水パイプの挿入孔を開設し、隣接室内の設備機器から浴室内の排水路まで前記排水パイプの挿入孔を挿通して排水パイプを連通させて成り、前記浴室内の排水路及び排水パイプは浴室内において見えない位置に設けられていることを特徴とする浴室と隣接室の排水構造。
【請求項２】
浴室と隣接室との間の仕切壁に排水パイプの挿入孔を開設し、該排水パイプの挿入孔と浴室内の見えない位置に設けた排水路との間を浴室内の見えない位置に設けた延長パイプで連通させて成り、隣接室の排水パイプを前記排水パイプの挿入孔へ挿入できるようにしたことを特徴とする浴室と隣接室の排水構造。
【請求項３】
浴室内の見えない位置に設けた排水路に連通する延長パイプを浴室内の見えない位置において延長し、浴室と隣接室との間の仕切壁を貫通して隣接室側へ延長パイプの端部を臨ませ、隣接室内の設備機器と前記延長パイプの端部とを前記設備機器の排水パイプで連通接続したことを特徴とする浴室と隣接室の排水構造。
【請求項４】
浴室と隣接室との仕切壁に、縦引きの排水管を配設し、浴室側においては縦引きの排水管と浴室内の見えない位置に設けた排水路とを浴室内の見えない位置で連通接続し、隣接室においては縦引きの排水管と設備機器とを連通接続したことを特徴とする浴室と隣接室の排水構造。
【発明の詳細な説明】
【０００１】
【発明の属する技術分野】
本発明は、浴室に隣接する室に設置された洗濯機等の設備機器の排水を、隣接室と浴室との間の仕切壁を貫通して浴室内の排水路へ流すようにするための排水構造に関するものである。
【０００２】
【従来の技術】
浴室に隣接する室に設置された洗濯機等の設備機器の排水を、浴室側へ流すようにした技術として、例えば、特許文献１に記載された発明がある。この特許文献１に記載された発明は、浴室に隣接する脱衣室との間に介在する仕切壁及びその仕切壁に建て込まれる浴室扉のドア固定パネルなどの壁体に、洗濯機の排水ホースの先端部を差し込むことのできるホース保持具を貫通して設置している。
洗濯機の使用に際しては、洗濯機の排水ホースの先端を、前記ホース保持具に挿通して浴室へ臨ませ、洗濯機の排水を浴室内へ流出させている。これにより、脱衣室に排水設備がなくても、脱衣室へ洗濯機を設置して利用することが可能である。
【０００３】
また特許文献２には、浴室のドアの本体若しくは枠の一部に、ホースやコードなどの線管を挿通することのできる貫通部を設けている。この貫通部を利用して浴室と隣接室との間の線管を連通接続するようにしている。例えば、洗濯機の洗濯槽へ連通するホースを前記貫通部から浴槽内へ敷設し、浴槽内の残り湯を洗濯機で利用する等のことが可能である。
【０００４】
更に、特許文献３には、浴室と洗面脱衣室との境界の床面から給排水用主管を立ち上げ、床面より上方で給排水用主管とその分岐管とを接続し、これらの部分をキャビネットタイプの壁材で隠蔽するようにした技術が開示されている。
【０００５】
【特許文献１】
特開２００１−３２４０６１号公報
【特許文献２】
特開平１１−１９３６７５号公報
【特許文献３】
特開２０００−７３４１９号公報
【０００６】
【発明が解決しようとする課題】
ところが、前記特許文献１に記載された技術にあっては、洗濯機の排水ホースの先端を浴室と脱衣室との間の仕切壁に設けた貫通部を通して浴室内側へ臨ませ、洗濯機の排水を浴室側へ排水するだけである。そのため、浴室内において、洗濯機の排水ホース及び排水ホースから流出される洗濯機の排水が浴室使用者から見えるので、見栄えが悪く、また不快感を伴うものであった。
【０００７】
一方、特許文献２に記載された技術にあっては、残り湯汲み上げ用ホースの先端を浴室のドア本体若しくはドア枠の一部に設けた貫通部へ挿通して浴槽内へ臨ませることが必要であり、そのためのホース敷設作業が非常に手間であった。
【０００８】
更に、特許文献３にあっては、浴室と洗面脱衣室との境界の床面から給排水用主管を立ち上げ、床面より上方で給排水用主管とその分岐管とを接続し、これらの部分をキャビネットタイプの壁材で隠蔽するようにしている。ところが、洗面脱衣室に排水設備が設けられていない場合は、洗面脱衣室の洗濯機等の設備機器の排水は、洗濯機の排水ホースを浴室ドアを開けて浴室内へ導入して行わなければならず、また排水ホースの収納も同様に行う必要があり、非常に手間を要していた。
【０００９】
本発明は従来の前記課題に鑑みてこれを改良除去したものであって、浴室に隣接する室の設備機器の排水を簡単な準備作業で浴室へ排水できるようにし、且つ浴室内でその排水パイプ等が見えることのない排水構造を提供せんとするものである。
【００１０】
【課題を解決するための手段】
而して、前記課題を解決するために本発明が採用した請求項１の手段は、浴室と隣接室との間の仕切壁に排水パイプの挿入孔を開設し、隣接室内の設備機器から浴室内の排水路まで前記排水パイプの挿入孔を挿通して排水パイプを連通させて成り、前記浴室内の排水路及び排水パイプは浴室内において見えない位置に設けられていることを特徴とする浴室と隣接室の排水構造である。
このように、浴室内の排水路及び排水パイプが浴室内において見えない位置にあるので、見栄えがよく、快適な使用が可能である。しかも、隣接室の設備機器からの排水は、排水パイプを仕切壁に設けた挿入孔へ挿通するだけであり、その作業は極めて簡単である。
【００１１】
本発明が採用した請求項２の手段は、浴室と隣接室との間の仕切壁に排水パイプの挿入孔を開設し、該排水パイプの挿入孔と浴室内の見えない位置に設けた排水路との間を浴室内の見えない位置に設けた延長パイプで連通させて成り、隣接室の排水パイプを前記排水パイプの挿入孔へ挿入できるようにしたことを特徴とする浴室と隣接室の排水構造である。
浴室内側の挿入孔と排水路との間を延長パイプで連通接続し、これらを浴室内の見えない位置に設置している。しかも、隣接室の設備機器の排水は、その排水パイプを挿入孔へ差し込むだけであり、この発明でも前記請求項１の場合と同様の効果を得ることが可能である。
【００１２】
本発明が採用した請求項３の手段は、浴室内の見えない位置に設けた排水路に連通する延長パイプを浴室内の見えない位置において延長し、浴室と隣接室との間の仕切壁を貫通して隣接室側へ延長パイプの端部を臨ませ、隣接室内の設備機器と前記延長パイプの端部とを前記設備機器の排水パイプで連通接続したことを特徴とする浴室と隣接室の排水構造である。この請求項３の発明の場合も請求項２の発明と同じ作用効果を呈している。
【００１３】
本発明が採用した請求項４の手段は、浴室と隣接室との仕切壁に、縦引きの排水管を配設し、浴室側においては縦引きの排水管と浴室内の見えない位置に設けた排水路とを浴室内の見えない位置で連通接続し、隣接室においては縦引きの排水管と設備機器とを連通接続したことを特徴とする浴室と隣接室の排水構造である。
この発明の場合も浴室側の排水流路は浴室内において見えない位置にあり、見栄えがよく、快適な使用が可能である。また隣接室の設備機器と縦引きの排水管とを連通接続するだけで、隣接室の設備機器から浴室内へ排水することができ、排水のための接続作業が簡単である。
【００１４】
【発明の実施の形態】
以下に、本発明の構成を図面に示す発明の実施の形態に基づいて説明すると次の通りである。図１は本発明の第１の実施の形態に係る浴室１の仕切壁２を部分断面した斜視図である。同図に示す如く、浴室１と、該浴室１に隣接する脱衣室又は洗面室等の室（以下は、隣接室という）３との間は、仕切壁２によって区画されている。浴室１は浴槽４と洗い場５とで構成されており、浴槽４の洗い場５側には前垂れエプロン６が取り付けられている。そして、洗い場５の仕切壁２に沿ったコーナー寄りの位置には、仕切壁２と平行して排水溝７が設けられており、洗い場５の排水溝７の上面開口には目皿８が配設されている。また排水溝７の一部はエプロン６の中（浴槽側）の領域に入り込んでいる。
【００１５】
エプロン６の中へ入り込んだ領域で且つ浴槽４の上端面で囲まれた領域に対応する仕切壁２の位置には、隣接室３と浴室１に跨がってこれを貫通する挿入孔９が開設されている。当該挿入孔９は、隣接室３から浴室１側へ向けて下り勾配とされており、隣接室３に設置された設備機器である洗濯機（図示せず）等からの排水パイプ（排水ホース）の先端を前記挿入孔９へ挿通して浴室１側へ臨ませると、排水パイプの先端はエプロン６の中へ入り込んだ領域の排水溝７内へ侵入するようになっている。
【００１６】
このように隣接室３に設置した洗濯機等の排水パイプの先端を仕切壁２に開設した挿入孔９から浴室１内の排水溝７内へ臨ませることにより、隣接室３に排水設備が設けられていない場合であっても、前記排水パイプを通じて洗濯機の排水を、浴室１内の排水溝７内へ排出することが可能である。排水溝７内へ流入した排水は、排水トラップ１０及び図示しない排水管を通じて下水等へ排出される。また浴室１内における挿入孔９の開口、排水パイプ、排水溝の一部は、浴室１における使用者、すなわち、浴槽４に入っている人及び洗い場５に居る人には直接見えることがなく、見栄えがよく、不快感を伴うこともない。しかも、作業も洗濯機の排水パイプを挿入孔９へ差し込むだけでり、極めて簡単である。
【００１７】
図２は、本発明の第２の実施の形態に係る浴室１の仕切壁２を部分断面した斜視図である。同図に示す如く、この実施の形態では、エプロン６の中の領域において、仕切壁２に開設した挿入孔９と排水溝７とを予め延長パイプ１１で連通接続している。浴室１側の挿入孔９とエプロン６の中の領域の排水溝７と延長パイプ１１とが、浴室１内の使用者から見えるものでないことは前記第１の実施の形態の場合と同じである。
【００１８】
而して、隣接室３へ設置した洗濯機からの排水は、その排水パイプの先端部を前記挿入孔９へ差し込むだけでよい。これにより、洗濯機からの排水は、排水パイプを通じて挿入孔９へ流れ、更に延長パイプ１１から排水溝７へ流入し、排水トラップ１０及び図示しない排水管を通じて下水等へ排出される。
【００１９】
図３は、本発明の第３の実施の形態に係る浴室１の仕切壁２を部分断面した斜視図である。この実施の形態は、前記図２に示す、延長パイプ１１の一端側を仕切壁２を貫通して隣接室３側へ臨ませるようにしたものである。延長パイプ１１は、仕切壁２を建て込むときに一体的に埋め込んでもよく、挿入孔９から挿通させる構造であってもよい。
【００２０】
このような構成であれば、隣接室３に設置した洗濯機からの排水パイプ１２の先端を、前記隣接室３内へ臨ませた延長パイプ１１に差し込むか、または外嵌めしてホースバンド１３で締結するようにしてもよい。洗濯機からの排水は、排水パイプ１２、延長パイプ１１を通って排水溝７へ流れ、更に排水トラップから排水管を介して下水等へ流出されるようになる。
【００２１】
図４は、本発明の第４の実施の形態に係るものであり、図（Ａ）乃至図（Ｃ）はそれぞれ仕切壁２内に縦引きの排水管１４〜１６を設置した各実施例を示すものである。図（Ａ）に示す実施例は、クランク状に折れ曲がった縦引きの排水管１４とＬ字状の連結管１７とを連通接続し、仕切壁２内に排水管１４を位置させると共に、連結管１７を隣接室３側に位置させ、両管１４及び１７を仕切壁２及び該仕切壁２を隣接室３側へ突出させた膨出部２Ａとに一体的に埋め込んでいる。そして、連結管１７の開口部を膨出部２Ａにおいて上向きにし、隣接室３に設置した洗濯機の排水パイプの先端を下向きに差し込んで連通接続できるようにしている。一方、浴室１側では、延長パイプ１１の一端側を排水溝７に連通接続し、他端側を前記縦引きの排水管１４に連通接続している。
【００２２】
また同図の図（Ｂ）に示す実施例は、仕切壁２内に縦引きの排水管１５を一体的に埋め込み、隣接室３側では仕切壁２の壁面に排水管１５の端部を開口１５Ａさせ、浴室１側では排水溝７に連通接続した延長パイプ１１の他端側を排水管１５に連通接続している。隣接室３に設置した洗濯機の排水パイプは、その先端を前記壁面の開口１５Ａへ差し込んで排水するようにしている。
【００２３】
更に、同図の図（Ｃ）に示す実施例は、クランク状の排水管１６を仕切壁２内に一体的に埋め込んで、隣接室３側ではその一端側を壁面から室内へ向けて突出させて受口１６Ａとし、浴室１側では他端側を排水溝７に連通接続した延長パイプ１１に連通接続している。隣接室３に設置した洗濯機の排水パイプ１２は、その先端を前記隣接室３内へ臨ませた排水管１６の受口１６Ａに差し込むか、または外嵌めしてホースバンド１３で締結すればよい。洗濯機からの排水は、排水パイプ１２、排水管１６、延長パイプ１１を通って排水溝７へ流れ、更に排水トラップから排水管を介して下水等へ流出されるようになる。
【００２４】
なお、これらの図４の図（Ａ）〜図（Ｃ）に示す各実施例において、仕切壁２内へ埋め込んだ排水管１４〜１６及び浴室１内の延長パイプ１１、排水溝７等は浴室１内の使用者から見えないものであることは、図１〜図３の各実施の形態の場合と同じである。
【００２５】
ところで、本発明は上述した各実施の形態に限定されるものではなく、適宜の変更が可能である。例えば、隣接室３に設置される設備機器は、洗濯機以外に洗面化粧台や流し台等であってもよい。また浴室１の排水路は、排水溝７以外のものであってもよく、延長パイプ１１を排水トラップに分岐管を介して接続するような構造であってもよい。
【００２６】
【発明の効果】
以上説明したように本発明にあっては、浴室と隣接室との間の仕切壁に排水パイプの挿入孔を開設し、隣接室内の設備機器から浴室内の排水路まで前記排水パイプの挿入孔を挿通して排水パイプを連通させている。そして、前記浴室内の排水路及び排水パイプを浴室内において見えない位置に設けている。
このように、浴室内の排水路及び排水パイプが浴室内において見えないので、見栄えがよく、快適な使用が可能である。しかも、隣接室の設備機器からの排水は、排水パイプを仕切壁に設けた挿入孔へ挿通するだけであり、その作業は極めて簡単である。
【００２７】
また請求項２の発明にあっては、浴室と隣接室との間の仕切壁に排水パイプの挿入孔を開設し、該排水パイプの挿入孔と浴室内の見えない位置に設けた排水路との間を浴室内の見えない位置に設けた延長パイプで連通させている。そして、隣接室の排水パイプを前記排水パイプの挿入孔へ挿入できるようにしている。この発明の場合も排水パイプ等が見えないので見栄えがよく、快適な使用が可能で、設備機器の排水接続作業も簡単である。
【００２８】
更に、請求項３の発明にあっては、浴室内の見えない位置に設けた排水路に連通する延長パイプを浴室内の見えない位置において延長し、浴室と隣接室との間の仕切壁を貫通して隣接室側へ延長パイプの端部を臨ませ、隣接室内の設備機器と前記延長パイプの端部とを前記設備機器の排水パイプで連通接続している。この発明も浴室と隣接室の排水構造である。この発明の場合も排水パイプ等が見えないので見栄えがよく、快適な使用が可能で、設備機器の排水接続作業も簡単である。
【００２９】
更にまた、請求項４の発明にあっては、浴室と隣接室との仕切壁に、縦引きの排水管を配設し、浴室側においては縦引きの排水管と浴室内の見えない位置に設けた排水路とを浴室内の見えない位置で連通接続し、隣接室においては縦引きの排水管と設備機器とを連通接続している。この発明の場合も浴室側の排水流路は浴室内において見えない位置にあり、見栄えがよく、快適な使用が可能である。また隣接室の設備機器と縦引きの排水管とを連通接続するだけで、隣接室の設備機器から浴室内へ排水することができる。
【図面の簡単な説明】
【図１】本発明の第１の実施の形態に係る浴室の仕切壁を部分断面した斜視図である。
【図２】本発明の第２の実施の形態に係る浴室の仕切壁を部分断面した斜視図である。
【図３】本発明の第３の実施の形態に係る浴室の仕切壁を部分断面した斜視図である。
【図４】本発明の第４の実施の形態に係るものであり、図（Ａ）乃至図（Ｃ）はそれぞれ仕切壁内に縦引きの排水管を設置した各実施例を示す概略斜視図である。
【符号の説明】
１…浴室、２…仕切壁、３…隣接室、４…浴槽、５…洗い場、６…浴槽エプロン、７…排水溝、８…目皿、９…挿入孔、１０…排水トラップ、１１…延長パイプ、１２…排水パイプ、１４〜１６…縦引き排水管
【図１】
2004332421.tif 000003
【図２】
2004332421.tif 000004
【図３】
2004332421.tif 000005
【図４】
2004332421.tif 000006